(57)【要約】      （修正有） 【課題】掛けアームが折り畳み式に構成されることにより、非常に容易に衣類を掛けたり外したりできる折り畳み式衣類掛けハンガーを提供する。【解決手段】折り畳み式衣類掛けハンガーは、服掛け棒や壁掛けフックに引っ掛けられる吊りフック３０と、吊りフック３０の一方の端に連設される胴体２０と、衣類の肩部に受け支えられるように胴体２０の両側から八字状に延設される一対の掛けアーム１０、１１と、を備える。掛けアーム１０、１１の両端部が互いに寄り集まることにより「II」状になるように、胴体２０と掛けアーム１０、１１との連結部位に設けられるヒンジ連結部と、前記ヒンジ連結部が回転できないように制限する止め手段と、を備える。【選択図】図１
0003221497.tif 000002
【実用新案登録請求の範囲】
【請求項１】
服掛け棒や壁掛けフックに引っ掛けられるように「？」状を呈する吊りフック（３０）と、
前記吊りフック（３０）の一方の端に連設される胴体（２０）と、
衣類の肩部を支えるように前記胴体（２０）の両側から八字状に延設される一対の掛けアーム（１０、１１）と、を備える衣類掛けハンガーにおいて、
前記掛けアーム（１０、１１）の両端部が互いに寄り集まることにより「II」状になるように、前記胴体（２０）と掛けアーム（１０、１１）との連結部位に設けられるヒンジ連結部と、
前記ヒンジ連結部が回転できないように制限する止め手段と、を備えるが、
前記止め手段は、
前記吊りフック（３０）の下端に下方向に延びるものであって、長手方向に沿って鋸歯状の歯が設けられ、上下に遊動自在に前記胴体（２０）に嵌め込まれるラック棒（３２）と、
前記胴体（２０）の内部に設けられるものであって、前記ラック棒（３２）の歯と噛み合っている上ギヤ（２４、２５）と、
前記胴体（２０）の内部に設けられるものであって、前記上ギヤ（２４、２５）の下部に配置されて上ギヤ（２４、２５）に噛み合っており、前記掛けアーム（１０、１１）の一方の端と連結されてそれにつれて回転する下ギヤ（２２、２３）と、
前記ラック棒（３２）の上下への遊動距離が制限されて前記掛けアーム（１０、１１）の折り畳まれる角度を調整できるようにラック棒（３２）に断面積が拡張された状態でストッパー（３３）を設けるが、前記ストッパー（３３）の配設位置が前記ラック棒（３２）の長手方向に沿って調整可能であり、ラック棒（３２）の任意の位置に嵌抜自在に弾性的に広げられる「Ｃ」字状を呈することを特徴とする折り畳み式衣類掛けハンガー。
【考案の詳細な説明】
【技術分野】
【０００１】
本考案は、衣類掛けハンガーに係り、さらに詳しくは、掛けアームが折り畳み式に構成されることにより、非常に容易に衣類を掛けたり外したりできる折り畳み式衣類掛けハンガーに関する。
【背景技術】
【０００２】
衣類を保管する方法としては、畳んで引き出しに入れる方法や、三角形状を呈する衣類掛けハンガーを用いて、ハンガーラックに掛ける方法が挙げられる。前者の方法は、衣類がくしゃくしゃになるという不具合があり、ジャケットやジャンパーなどの厚手の外套を保管し難い方法である。したがって、衣類掛けハンガーとハンガーラックを用いて衣類を平たく引き伸ばした状態で保管する方法が一般的に用いられる。
【０００３】
衣類掛けハンガーは、一般に、「？」状を呈する吊りフックと、吊りフックの下端に連設されたものであって、衣類の肩部を受け支えるように八字状に延びている掛けアームと、を備えてなる。なお、必要に応じて、ズボン、マフラー（襟巻き）、ネックタイを引っ掛けておけるように掛けアームには横棒がさらに配設されることもある。
【０００４】
衣類の中では、ニット類またはシャツ類のように前板にジッパーやボタンなどが設けられていないものがある。このような衣類は、着用に際して、頭からかぶりながら着ることを余儀なくされる。また、このような衣類を衣類掛けハンガーを用いて保管しようとするに際しては、衣類掛けハンガーを、頭が通過する穴を介して嵌め込んだり、下から嵌め込んだりしなければならない。しかしながら、頭が通過する穴が小さいため、穴を広げなければならないが、その穴を頻繁に広げると、衣服が弛んでしまい、衣服がそれ以上着られなくなる場合が多々見受けられる。特に、ニット類にこのような不具合がよく見受けられる。衣類掛けハンガーへの改善案が多数案出されたが、以下、いくつかの例示を見ると、次の通りである。
【０００５】
例えば、大韓民国実用新案登録出願第２０−２０１３−００００００８号は、運動服用の衣類掛けハンガーを提案するが、衣類掛けハンガーの保管が容易であり、濡れた運動服をさらに有効に乾かすことができ、使用者の体形に応じて衣類掛けハンガーの大きさを調節することのできる運動服用の衣類掛けハンガーを提案している。
【０００６】
また、大韓民国実用新案登録出願第２０−２００２−００２９５２６号は、各種の衣類を掛けてクロージェットやダンスに保管したり、衣類の売り場で衣類をディスクプレイしたりするときに使われる衣類掛けハンガーに関するものであり、特に、衣類掛けハンガーに商標名などの広告文句を表示できる広告表示板部材を設けて、単に衣服をディスプレイする機能を超えて、広告効果をも得られる衣類掛けハンガー構造に関するものである。同技術は、衣類掛けハンガーを構成する中心胴体に広告文が表示されていたり、広告文付きステッカーが貼り付けられる広告表示板部材が設けられていたりして、既存の衣類掛けハンガーでのように、単に衣服をディスプレイする機能を超えて、衣類及び売り場を広告することのできる、広告効果が得られる衣類掛けハンガーを提案している。
【０００７】
最後の例として、大韓民国実用新案登録出願第２０−２０１３−０００６１９６号があるが、これは、生地の変形や損傷なしに衣類掛けハンガーに掛ける衣類が滑ることを防ぐとともに、下部に設けられた２段のズボン掛け部を回転させて水平方向に固定して、一定の間隔を保ちながら１枚以上のズボンをシワがよらないなしに掛けることができ、２段のズボン掛け部を垂直方向に固定して薄くかつ平らに形成可能にして手狭い収納空間にも多量の衣服を収納することのできる、２段のズボン掛け部が形成されたスリップ防止衣類掛けハンガーを提案する。
【０００８】
このように、衣類掛けハンガーに関する各種の提案がなされてきたが、ニット類のようにボタンやジッパーのない衣類を容易に衣類掛けハンガーに掛けられるようにする提案は未だになされていない。
【先行技術文献】
【特許文献】
【０００９】
【特許文献１】大韓民国実用新案登録出願第２０−２０１３−００００００８号
【特許文献２】大韓民国実用新案登録出願第２０−２００２−００２９５２６号
【特許文献３】大韓民国実用新案登録出願第２０−２０１３−０００６１９６号
【考案の概要】
【考案が解決しようとする課題】
【００１０】
上述したような問題について、本考案は、ニット類のように前板の全体にわたってボタンやジッパーのないためかぶりながら着ることを余儀なくされる衣類を容易に衣類掛けハンガーに掛けられるようにする衣類掛けハンガーを提供することをその目的としている。より具体的に、衣類掛けハンガーを折り畳み式に構成することにより、幅を狭めた状態で衣類掛けハンガーを衣服に嵌め込めるようになっている折り畳み式衣類掛けハンガーを提供することに本考案の目的がある。
【課題を解決するための手段】
【００１１】
上記の目的は、服掛け棒や壁掛けフックに引っ掛けられるように「？」状を呈する吊りフックと、前記吊りフックの一方の端に連設される胴体と、衣類の肩部に受け支えられるように前記胴体の両側から八字状に延設される一対の掛けアームと、を備える衣類掛けハンガーにおいて、前記掛けアームの両端部が互いに寄り集まることにより「II」状になるように、前記胴体と掛けアームとの連結部位に設けられるヒンジ連結部と、必要に応じて、前記ヒンジ連結部が回転できないように制限する止め手段と、を備えることを特徴とする折り畳み式衣類掛けハンガーにより達成される。
【００１２】
本考案の別の特徴によれば、前記止め手段は、前記吊りフックの下端に下方向に延びるものであって、長手方向に沿って鋸歯状の歯が設けられ、上下に遊動自在に前記胴体に嵌め込まれるラック棒と、前記胴体の内部に設けられるものであって、前記ラック棒の歯と噛み合っている上ギヤと、前記胴体の内部に設けられるものであって、前記上ギヤの下部に配置されて上ギヤに噛み合っており、前記掛けアームの一方の端と連結されてそれにつれて回転する下ギヤと、を備えていてもよい。
【００１３】
本考案の別の特徴によれば、前記ラック棒の下端にはストッパーが設けられて、前記ラック棒の上下への遊動距離が制限されてもよい。
【００１４】
本考案のさらに別の特徴によれば、前記ラック棒の下端にはストッパーが設けられて、前記ラック棒の上下への遊動距離が制限されるようにするが、前記ストッパーの配設位置を前記ラック棒の長手方向に沿って調整可能なようになっていてもよい。
【考案の効果】
【００１５】
上記のような構成によれば、ニット類のようにかぶりながら着ることを余儀なくされる衣類を容易に衣類掛けハンガーに掛けられるようにする衣類掛けハンガーが提供される。より具体的には、衣類掛けハンガーを折り畳み式に構成して、左右の幅を狭めることにより、衣類の首を介して衣類掛けハンガーを嵌め込めるようになっている折り畳み式衣類掛けハンガーが提供される。したがって、衣類の首を引き伸ばさなくても済み、衣類が弛んでしまうことを防ぐことができ、家庭はもとより、衣類の売り場でも手軽に衣類掛けハンガーを使えるようになる。
【図面の簡単な説明】
【００１６】
【図１】本考案の実施形態による折り畳み式衣類掛けハンガーの斜視図である。
【図２】本考案の実施形態による折り畳み式衣類掛けハンガーの折り畳み状態の正面図である。
【図３】本考案の実施形態による折り畳み式衣類掛けハンガーの折り畳み状態の側面図である。
【図４】本考案の実施形態による折り畳み式衣類掛けハンガーの拡開状態の正面図である。
【図５】本考案の実施形態による折り畳み式衣類掛けハンガーの拡開状態の断面構成図である。
【図６】図５の一部（Ｂ）の拡大図である。
【考案を実施するための形態】
【００１７】
以下、明細書に添付されている図面に基づいて、本考案の実施形態について詳しく説明する。まず、図１から図５の全てに基づいて、本考案の実施形態について説明する。
【００１８】
本考案による折り畳み式衣類掛けハンガーは、掛けアーム１０、１１と、胴体２０と、吊りフック３０と、ヒンジ連結部及び止め手段を備える。
【００１９】
本考案の折り畳み式衣類掛けハンガーは、掛けアーム１０、１１が折り畳まれることにより幅が狭くなって衣服Ｃを手軽に嵌抜できるようにするものである。掛けアーム１０、１１は、ヒンジ連結部により回転しながら折り畳まれたり拡開したりできるように構成され、止め手段は、必要に応じて、前記ヒンジ連結部が回転できないように制限するため設けられる。
【００２０】
吊りフック３０は、服掛け棒Ｒや壁掛けフックに引っ掛けられるように「？」状に折り曲げられている。この吊りフック３０は、金属製であってもよく、合成樹脂製であってもよい。
【００２１】
胴体２０が吊りフック３０の下端に連設される。胴体２０は、ケース２１状を呈しており、内部に、後述するように、ギヤ列若しくはヒンジ機構が配設される。
【００２２】
掛けアーム１０、１１は、衣類の肩部を受け支えるように前記胴体２０の両側面から八字状に延設される。掛けアーム１０、１１は、両端部が互いに寄り集まることにより「II」状という折り畳まれた形状となる（図２参照）。このために、胴体２０と掛けアーム１０、１１との連結部位にはヒンジ連結部が設けられている。
【００２３】
以下では、掛けアームの回転を制限するための止め手段について説明する。止め手段は、長手方向に沿って鋸歯状の歯が設けられ、上下に遊動自在に前記胴体に嵌め込まれるラック棒３２と、前記ラック棒３２の歯と噛み合っている上ギヤ２４、２５と、前記上ギヤ２４、２５に噛み合っており、前記掛けアーム１０、１１の一方の端と連結されてそれにつれて回転する下ギヤ２２、２３と、を備えていてもよい。以下、これについてより詳しく説明する。
【００２４】
吊りフックの下端３１には、縦断面が鋸歯状を呈するラック棒３２が連なっている。ラック棒３２は、胴体２０の中心に竪方向に設けられる管体に上下方向に起動可能なように嵌め込まれる。ラック棒３２は、棒の長手方向に沿って一定の間隔をあけて歯が突き出た形状を呈するものであって、この突き出た形状でラックギヤ（ｒａｃｋ  ｇｅａｒ）の機能を行う。ラック棒３２の終端には、ストッパー３３が、断面積が拡張した形状に設けられている。ストッパー３３は、ラック棒３２が胴体２０から抜脱することを防ぎ、ラック棒３２の上下への遊動距離を制限する。その結果、ラック棒３２は、胴体２０に対して上下方向に約５〜１５ｃｍだけ相対運動を行うことが可能になる。
【００２５】
以下では、止め手段の構成及び作用について、図５及び図６に基づいて説明する。
【００２６】
胴体２０の内部には、前記ラック棒３２の鋸歯と噛み合う上ギヤ２４、２５が回転自在に設けられている。上ギヤ２４、２５は一対で構成され、左右に対称となるように配設される。一方の上ギヤ２４はラック棒３２の右側に、かつ、他方の上ギヤ２５はラック棒３２の左側にそれぞれ噛み合う。
【００２７】
上ギヤ２４、２５には、下ギヤ２２、２３が回転自在に噛み合っている。下ギヤ２２、２３は、掛けアーム１０、１１の一方の端と一体に挙動するようになっている。すなわち、下ギヤ２２、２３の回転中心と、掛けアーム１０、１１の回転中心とが一致するようになっている。
【００２８】
このような構成によれば、図６に示すように、ラック棒３２が矢印Ａ１の方向に下降すると、上ギヤ２４、２５は自分の軸２４ａ、２５ａを中心として矢印Ａ２の方向に回転し、これと同時に、下ギヤ２２、２３は、自分の軸２２ａ、２３ａを中心として矢印Ａ３の方向に回転し、結局、掛けアーム１０、１１は、下ギヤの軸２２ａ、２３ａを中心として回転して折り畳まれるのである。
【００２９】
そして、この状態（折り畳まれた状態）で衣服Ｃを折り畳み式衣類掛けハンガーに掛け、吊りフック３０を服掛け棒Ｒに掛けると、図４に示すように、使用者が下方向に引っ張る力及び衣服Ｃの荷重が合わさって下方向に力Ｆ２が加えられる。この力の反力で吊りフック３０を上に引っ張る力Ｆ２が生じ、したがって、ラック棒３２が胴体２０から上方向に引き出されるのである。すると、掛けアーム１０、１１が左右方向に拡開するのである。
【００３０】
衣服を服掛け棒Ｒに掛けておいた平常の状態では、衣服Ｃの荷重によって下方向に持続的に引っ張る力Ｆ１が存在し、この力Ｆ１によってラック棒３２が上方向に引っ張られた状態、すなわち、掛けアーム１０、１１が拡開した状態を保つことが可能になる。
【００３１】
本考案の別の実施形態によれば、前記ストッパー３３の配設位置を前記ラック棒３２の長手方向に沿って調整可能なようになっていてもよい。すなわち、使用者の必要に応じて、掛けアーム１０、１１の折り畳まれる角度を、ストッパー３３の配設位置を調整することにより調整することが可能になる。ストッパーを機械要素であるキー（ｋｅｙ）のように、すなわち、弾性的に広げられる「Ｃ」字状の部材により構成することにより、ラック棒３２の任意の位置に嵌抜可能なようにすればよい。
【００３２】
掛けアームは、横断面の丸棒の形状であってもよいが、角棒状を呈していてもよい。この場合であっても、歯もまた、上ギヤと噛み合う面にしか設けられなくてもよい。
【００３３】
以上において述べたことは、本考案の技術的思想に基づくいくつかの例示に過ぎない。当業者であれば、実用新案登録請求の範囲を通して表わされる本考案の技術的思想の範囲を逸脱しない範囲内において、例示されたところを活用して、種々の変形実施が行える筈である。例えば、上記に説明されたあらゆる実施形態は、当業者によって自由に組み合わされて実施可能であり、ましてや如何に組み合わせたにせよ、本考案の権利範囲に含まれるものと解釈されるべきである。
【図１】
0003221497.tif 000003
【図２】
0003221497.tif 000004
【図３】
0003221497.tif 000005
【図４】
0003221497.tif 000006
【図５】
0003221497.tif 000007
【図６】
0003221497.tif 000008